(57)【要約】【課題】表示品質を向上させながら、輝度を部分的に調整することができるバックライトアセンブリ及びこれを有する液晶表示装置を提供する。【解決手段】直下型バックライトアセンブリ及びこれを有する直下型液晶表示装置１１００は、第１光を発生する一つ以上のランプ３１０と、第１光の輝度分布を均一にして第２光を射出する光拡散部材と、ランプ３１０のうちの少なくともいずれか一つと光拡散部材との間の距離が他のランプと互いに異なるようにランプ３１０と光拡散部材とを収納し、第１光を光拡散部材に反射する収納部材とを含む。この時、光拡散部材とランプ３１０との間の距離を適切に変更することにより、光拡散部材の両端部での輝度を補償して表示品質を向上させ、直下型液晶表示装置１１００の輝度を部分的に調整することができる。【選択図】　　　図２
2004029738.tif 000002
【特許請求の範囲】
【請求項１】
第１光を発生するための複数のランプと、
前記ランプからの前記第１光を拡散するための拡散部材と、
前記ランプ及び前記拡散部材を収納し、前記第１光を前記拡散部材側に反射するための収納部材とを含み、
前記拡散部材は前記ランプからの前記第１光及び前記収納部材から反射された光を拡散して均一な輝度分布を有する第２光を射出し、
前記ランプは一つのランプと前記拡散部材との間の第１距離が他のランプと前記拡散部材との間の第２距離と異なるように前記収納部材に配列されることを特徴とするバックライトアセンブリ。
【請求項２】
前記ランプは、前記収納部材の一端部に配置される第１ランプ及び前記収納部材の中心部に配置される第２ランプを含み、
前記第１ランプは前記第２ランプより前記拡散部材に近接するように配置されることを特徴とする請求項１に記載のバックライトアセンブリ。
【請求項３】
前記収納部材は、
前記ランプの下側に位置して前記第１光を前記光拡散部材に反射するランプ反射板と、
基底面と前記基底面から延びられた側壁からなって前記ランプ反射板と、前記ランプを収納するボトムシャーシと、
前記ボトムシャーシと結合し、前記ランプ各々の両端部に締結され、前記ランプを指定された位置に固定し、前記拡散部材を収納するためのモールドフレームと
を含むことを特徴とする請求項１に記載のバックライトアセンブリ。
【請求項４】
前記ランプ反射板は、
前記光拡散部材と平行なフラット部と、
前記フラット部に対して第１角で傾いて、両端部から各々外側に延びる第１傾斜部と、
前記フラット部に対して前記第１角より小さい第２角で傾いている、前記第１傾斜部から延びる第２傾斜部と
を含むことを特徴とする請求項３に記載のバックライトアセンブリ。
【請求項５】
前記ランプは、前記フラット部及び前記第１傾斜部の上方に各々配置されることを特徴とする請求項４に記載のバックライトアセンブリ。
【請求項６】
前記ランプは前記第１傾斜部の上方に配置される第１ランプ及び前記フラット部の上方に配置される第２ランプを含むことを特徴とする請求項５に記載のバックライトアセンブリ。
【請求項７】
前記ランプ反射板は、
前記光拡散部材と平行な第１フラット部と、
前記第１フラット部に対して第１角で傾いて、前記両端部から各々外側に延びる第１傾斜部と、
前記第１フラット部と平行であり、前記第１傾斜部から外側に延びる第２フラット部と、
前記第２フラット部に対して第２角で傾いて、前記第２フラット部の外側に延びる第２傾斜部と
を含むことを特徴とする請求項３に記載のバックライトアセンブリ。
【請求項８】
前記ランプは前記第１フラット部及び前記第２フラット部の上方に各々配置されることを特徴とする請求項７に記載のバックライトアセンブリ。
【請求項９】
前記ランプは前記第１フラット部の上方に配置される第１ランプ及び前記第２フラット部の上方に配置される第２ランプを含み、
前記第１ランプと前記拡散部材との間の距離は前記第２ランプと前記拡散部材との間の距離より大きいことを特徴とする請求項８に記載のバックライトアセンブリ。
【請求項１０】
前記ランプ反射板は、
前記拡散部材に対して第１角で傾いて、前記拡散部材の一端部の第１位置から前記拡散部材の他端部の第２位置に向かう第１傾斜部と、
前記第１傾斜部に対して第２角で傾いている、第１傾斜部の第１エッジから延びる第２傾斜部と、
前記第１傾斜部に対して第３角で傾いている、第１エッジと対向する前記第１傾斜部の第２エッジから延びる第３傾斜部とを含むことを特徴とする請求項３に記載のバックライトアセンブリ。
【請求項１１】
前記ランプ反射板、
前記拡散部材に平行である第１フラット部、
前記拡散部材に平行であり、前記第１フラット部と分離された第２フラット部、及び
前記第１及び第２フラット部との間に形成された突出部を含み、
前記突出部は、
前記第１フラット部に対して第１角で傾いている、前記第１フラット部のエッジから延びる第１傾斜面と、
前記第２フラット部に対して第２角で傾いている、前記第２フラット部のエッジから延びる第２傾斜面を含み、
前記第１及び第２傾斜面が、互いに接触して、前記拡散部材に向かって突出するされたピッチを形成することを特徴とする請求項３に記載のバックライトアセンブリ。
【請求項１２】
前記ランプと前記拡散部材との間の距離が、前記拡散部材の中央部に行くほど短くなることを特徴とする請求項１に記載のバックライトアセンブリ。
【請求項１３】
前記収納部材は、
前記ランプの下側に位置して前記第１光を前記拡散部材側に反射するランプ反射板と、
基底面と前記基底面から延びる側壁とからなり、前記ランプ反射板と前記ランプとを収納するためのボトムシャーシと、
前記ボトムシャーシと結合し、前記ランプ各々の両端部と締結され、前記ランプを指定された位置に固定し、前記拡散部材が定着されるモールドフレームと
を含むことを特徴とする請求項１２に記載のバックライトアセンブリ。
【請求項１４】
前記ランプ反射板は、
、前記拡散部材の一端部の第１位置から前記拡散部材の前記中央部の第２位置に向かって前記拡散部材に対して第１角で傾いている第１傾斜部と、
前記拡散部材の他端部の第３位置から前記拡散部材の前記中央部の第４位置に向かって前記拡散部材に対して第２角で傾いている、前記第２位置で前記第１傾斜部と接触する第２傾斜部と、
前記第２傾斜部に対してら第３角で傾いて前記第２傾斜部から外側に延びる第３傾斜部と、
前記第１傾斜部に対して第４角で傾いて前記第１傾斜部から外側に延びる第４傾斜部と
を含むことを特徴とする請求項１３に記載のバックライトアセンブリ。
【請求項１５】
前記第１傾斜部と第２傾斜部は前記拡散部材の前記中央部に向かって前記拡散部材に近付くように傾斜し、前記第１傾斜部と前記第２傾斜部が接触して前記拡散部材の前記中央部に向かって突出したピッチを形成することを特徴とする請求項１４に記載のバックライトアセンブリ。
【請求項１６】
前記ランプは前記第１及び第２傾斜部の上方に配置されることを特徴とする請求項１５に記載のバックライトアセンブリ。
【請求項１７】
前記第１角と第２角は実質的に同一であることを特徴とする請求項１５に記載のバックライトアセンブリ。
【請求項１８】
前記ボトムシャーシの基底面は前記ランプ反射板の表面構造と同様の表面構造を有することを特徴とする請求項１５に記載のバックライトアセンブリ。
【請求項１９】
第１光を発生するための複数のランプと、前記ランプからの前記第１光を拡散するための拡散部材と、前記ランプ及び前記拡散部材を収納し前記第１光を前記拡散部材に反射するための収納部材とを含み、前記拡散部材は前記ランプからの前記第１光及び前記収納部材により反射された光を拡散して均一な輝度分布を有する第２光を射出し、前記ランプは一つのランプと前記拡散部材との間の第１距離が他のランプと前記拡散部材との間の第２距離と異なるように、前記収納部材に配列されているバックライトアセンブリ、
前記液晶を利用することにより前記第２光に応じて映像を表示するための液晶表示パネル、及び
前記収納部材と結合して前記液晶表示パネルを保護するためのトップシャーシを含むことを特徴とする液晶表示装置。
【請求項２０】
前記複数のランプは前記収納部材の端部に配置される第１ランプ及び前記収納部材の中心部に配置される第２ランプを含み、
前記第１ランプは前記第２ランプより前記拡散部材に近接することを特徴とする請求項１９に記載の液晶表示装置。
【請求項２１】
前記ランプ各々と前記拡散部材との間の距離は、前記ランプ各々の前記拡散部材に平行な方向に関する位置により変化し、
前記ランプ各々は、前記拡散部材の中央部に近接するほど前記拡散部材と前記ランプ各々の距離が短くなるように配置される
ことを特徴とする請求項１９に記載の液晶表示装置。
【請求項２２】
前記収納部材は、
前記第１光を拡散部材側に反射し、前記拡散部材の中央部に向かって傾いた一つ以上の傾斜部を備えて、前記拡散部材の中央部から射出される前記第２光の輝度を増加させるランプ反射板と、
前記ランプ反射板の表面と同様の構造を有する基底面と、前記基底面から延びる側壁とからなり、前記ランプ反射板及び前記ランプを収納するためのボトムシャーシと、
前記ボトムシャーシと結合し、前記ランプの両端部と締結されて前記ランプを指定された位置に固定し、前記拡散部材が定着されるモールドフレームと
を含むことを特徴とする請求項２１に記載の液晶表示装置。
【請求項２３】
前記液晶表示装置は、
前記外部から提供される電気信号により前記液晶表示パネルを駆動するための駆動部をさらに含み、前記ボトムシャーシの背面には前記駆動部が収納されることを特徴とする請求項２２に記載の液晶表示装置。
【発明の詳細な説明】
【０００１】
【発明の属する技術分野】
本発明はバックライトアセンブリ及びこれを有する液晶表示装置に関するものであり、より詳細には、表示品質を向上させることができ、部分的に輝度調整をすることができるバックライトアセンブリ及びこれを有する液晶表示装置に関するものである。
【０００２】
【従来の技術】
最近、情報処理装置の技術開発と共に、情報処理装置で処理されたデータを使用者が認識することができるようにインターフェースするディスプレー装置の技術開発も行われている。
【０００３】
ディスプレー装置としては、軽量、小型でありながら、フル−カラー、高解像度などの機能を有する液晶表示装置の開発が進んでいる。液晶表示装置は液晶セルの光学的な性質の変化を視覚変化に変換するディスプレー装置である。このような液晶表示装置は、自ら発光せず、液晶表示パネルの後面に付着されたバックライトアセンブリから光の供給を受けて画像を表示する。
【０００４】
前記バックライトアセンブリは光源の位置により直下型（ｄｉｒｅｃｔ　ｔｙｐｅ）とエッジライト型（ｅｄｇｅ　ｔｙｐｅ）に大別される。直下型は液晶表示パネルの下部に光源を置いてパネル全面に直接照射する方式であり、液晶表示パネルの側辺に光源を配したエッジライト型と比較して複数個の光源を利用することができ、高い輝度を確保することができるという長所がある。
【０００５】
図１は一般的な直下型バックライトアセンブリを有する液晶表示装置（以下、「直下型液晶表示装置」という）を示す断面図である。
【０００６】
図１に示すように、一般的な直下型液晶表示装置１００は、映像を表示するための液晶表示パネル１１０と、前記液晶表示パネル１１０に光を提供するための直下型バックライトアセンブリ１２０を備える。
【０００７】
前記バックライトアセンブリ１２０は、第１光を発生する一つ以上のランプ１２１と、前記第１光を拡散させ均一な輝度分布を有する第２光を射出させるための拡散板１２３と、前記第１光を前記拡散板１２３に反射させるためのランプ反射板１２２とからなる。この時、ランプ１２１と、ランプ反射板１２２と、拡散板１２３は収納容器に収納される。
【０００８】
前記収納容器は、ボトムモールドフレーム１２４とボトムシャーシ１２５からなる。前記ボトムモールドフレーム１２４とボトムシャーシ１２５は、フックにより確実に結合されている。具体的に、前記ボトムモールドフレーム１２４は四角形状に形成され、前記ランプ１２１は長さ方向と平行な側壁面は所定の角度に傾いている。また、前記側壁面の上端には前記拡散板１２３が定着される端ジョーが形成されている。一方、前記ボトムシャーシ１２５は上部面が開口された直方体のボックス形態に形成される。前記ボトムシャーシ１２５の内部には所定深さの収納空間が形成され、前記収納空間には前記ランプ反射板１２２が設けられ、前記ランプ反射板１２２の上部には前記ランプ１２１が配置される。
【０００９】
この時、前記ランプ１２１から発生した前記第１光の一部は前記拡散板１２３に直接入射し、それ以外の光は前記ランプ反射板１２２により前記拡散板１２３側に反射される。前記第１光は前記拡散板１２３により拡散され、広い範囲の角度を有する第２光として射出される。
【００１０】
一方、前記拡散板１２３上にはアッパーモールドフレーム１３０が配置され、前記アッパーモールドフレーム１３０には前記液晶表示パネル１１０が定着される。その後、前記液晶表示パネル１１０上に前記ボトムシャーシ１２５と対向して結合するトップシャーシ１４０が提供されることにより、前記直下型液晶表示装置１００が完成される。
【００１１】
図１に示したように、前記ランプ反射板１２２はフラットな板により構成され、その上に前記ランプが配置される。ここで、説明の便宜のためにランプ１２１の中央部に配置されたランプを第１ランプ１２１ａと称し、最外郭に配置されたランプを第２ランプ１２１ｂと称する。第１ランプ１２１ａはその両側に各々ランプが配置されるが、前記第２ランプ１２１ｂはその一側にのみランプが配置される。
【００１２】
図１に示した輝度分布曲線１５０に示したように、液晶表示パネル１１０の両端部での輝度は中央部での輝度より相対的に低くなる。従って、直下型液晶表示装置１００の画面は、全体的に不均一な輝度分布を有し、直下型液晶表示装置１００の表示品質を低下させるという問題が発生する。
【００１３】
また、拡散板１２３とランプ１２１の垂直距離ｄ１は一定に固定されているので、前記直下型液晶表示装置１００の画面の輝度を部分的に調節するには多くの困難な点がある。
【００１４】
【発明が解決しようとする課題】
本発明の目的は、表示特性を向上させることができ、輝度を部分的に調整することができるバックライトアセンブリを提供することにある。
【００１５】
また、本発明の他の目的は、このようなバックライトアセンブリを利用した液晶表示装置を提供することにある。
【００１６】
【発明の解決するための手段】
上述した目的を達成するための本発明によるバックライトアセンブリは、第１光を発生するための複数のランプと、前記ランプからの前記第１光を拡散するための拡散部材と、前記ランプ及び前記拡散部材を収納し、前記第１光を前記拡散部材側に反射するための収納部材とを含み、前記拡散部材は前記ランプからの前記第１光及び前記収納部材から反射された光を拡散して均一な輝度分布を有する第２光を射出し、前記ランプは一つのランプと前記拡散部材との間の第１距離が他のランプと前記拡散部材との間の第２距離と異なるように前記収納部材に配列されることを特徴とする。
【００１７】
上述した目的を達成するための本発明による液晶表示装置は、第１光を発生するための複数のランプと、前記ランプからの前記第１光を拡散するための拡散部材と、前記ランプ及び前記拡散部材を収納し前記第１光を前記拡散部材に反射するための収納部材とを含み、前記拡散部材は前記ランプからの前記第１光及び前記収納部材により反射された光を拡散して均一な輝度分布を有する第２光を射出し、前記ランプは一つのランプと前記拡散部材との間の第１距離が他のランプと前記拡散部材との間の第２距離と異なるように、前記収納部材に配列されているバックライトアセンブリ、前記液晶を利用することにより前記第２光に応じて映像を表示するための液晶表示パネル、及び、前記収納部材と結合して前記液晶表示パネルを保護するためのトップシャーシを含む。
【００１８】
このようなバックライトアセンブリ及びこれを有する液晶表示装置によると、複数のランプから発生された光を拡散板に反射するランプ反射板は、前記ランプのうちのいずれか一つと前記拡散板との間の距離が他のランプと拡散板との間の距離と異するように前記ランプを収納する。従って、表示品質を向上させながら、輝度を部分的に調整することができるバックライトアセンブリ及びこれを有する液晶表示装置を提供することができる。
【００１９】
【発明の実施の形態】
以下、図面を参照して本発明の望ましい一実施形態をより詳細に説明する。
【００２０】
図２は、本発明の第１実施形態による直下型バックライトアセンブリを有する液晶表示装置（以下、「直下型液晶表示装置」という）を具体的に示した分解斜視図であり、図３は、図２に示した直下型液晶表示装置を切断線Ａ−Ａ′に切断した断面図である。図４は図３のＢ部分を拡大した拡大図である。
【００２１】
図２及び図３に示すように、本発明の第１実施形態による直下型液晶表示装置１０００は、映像を表示するための液晶表示パネルアセンブリ２００と、前記液晶表示パネルアセンブリ２００に光を提供するためのバックライトアセンブリ３００とを含む。前記液晶表示パネルアセンブリ２００は、液晶表示パネル２１０、データ印刷回路基板２２０、ゲート印刷回路基板２３０、データ側テープキャリアパッケージ（ＴＣＰ）２４０及びゲート側ＴＣＰ２５０により構成される。
【００２２】
前記液晶表示パネル２１０は、表示画面を構成し、薄膜トランジスタ（ＴＦＴ）基板２１１、前記ＴＦＴ基板２１１と向き合うカラーフィルタ基板２１３及び前記ＴＦＴ基板２１１とカラーフィルタ基板２１３との間に注入された液晶（図示せず）からなる。
【００２３】
ここで、前記ＴＦＴ基板２１１はスイッチング素子であるＴＦＴ（図示せず）がマトリックス形態に形成された透明なガラス基板である。前記ＴＦＴのソース及びゲート端子には各々データ及びゲートラインが連結され、ドレーン端子には透明な導電性材質であるインジウムティンオキサイド（ＩＴＯ）からなる画素電極が形成される。前記ＴＦＴ基板２１１に対向して備えられた前記カラーフィルタ基板２１３は、通過する光により所定の色に発現する色画素であるＲＧＢ画素が薄膜工程により形成された基板である。前記カラーフィルタ基板２１３の全面にはＩＴＯからなった共通電極が塗布されている。
【００２４】
前記液晶表示パネル２１０に形成されている前記データラインは前記データ側ＴＣＰ２４０を通じて前記データ印刷回路基板２２０と電気的に連結され、前記ゲートラインは前記ゲート側ＴＣＰ２５０を通じて前記ゲート印刷回路基板２３０と電気的に連結される。従って、外部から電気的な信号を受信した前記データ印刷回路基板及びゲート印刷回路基板２２０、２３０は、前記液晶表示パネルアセンブリ２００の駆動及び駆動時期を制御するための駆動信号及びタイミング信号を、前記データ側ＴＣＰ及びゲート側ＴＣＰ２４０、２５０を通じて前記ゲートライン及びデータラインに各々転送する。
【００２５】
一方、前記バックライトアセンブリ３００は、第１光を発生する一つ以上のランプ３１０と、前記第１光を拡散させ、均一な輝度分布を有する第２光を射出させるための拡散板３３０と、収納部材とからなる。前記ランプ３１０と拡散板３３０は前記収納部材に収納される。ここで、前記収納部材は、ランプ反射板３２０と、ボトムモールドフレーム３４０と、ボトムシャーシ３５０とからなる。
【００２６】
図２及び図３には、８個のランプを有する８等式の直下型液晶表示装置を示したが、本発明はここに限定されずに、前記ランプの個数は多様に変更して適用することができる。
【００２７】
一方、前記ボトムモールドフレーム３４０とボトムシャーシ３５０はフックにより確実に結合されており、前記ランプ反射板３２０は前記ボトムモールドフレーム３４０とボトムシャーシ３５０が結合された状態でその上に定着される。
【００２８】
前記ボトムモールドフレーム３４０は四角形状に形成され、前記ランプ３１０の長さ方向と平行な側壁面３４１は所定の角度で傾いている。また、前記側壁面３４１の上端には前記拡散板３３０が定着される端ジョー３４２が形成されている。
【００２９】
一方、前記ボトムシャーシ３５０は、基底面と、前記基底面から延びる側壁とからなり、上部面が開口された直方体のボックス形状に形成される。前記ボトムシャーシ３５０の内部には所定深さの収納空間が形成され、前記収納空間には前記ランプ反射板３２０が設けられ、前記ランプ反射板３２０の上部にはランプ３１０が配置される。
【００３０】
ここで、前記ランプ反射板３２０は前記ボトムモールドフレーム３４０の側壁面に沿って延びる第１及び第２傾斜面３２２、３２３を備える。また、前記ボトムモールドフレーム３４０の側壁面は、前記ランプ反射板３２０の前記第１及び第２傾斜面３２２、３２３に沿う形状に形成され、前記ランプ反射板３２０と対面する。
【００３１】
図面に図示しなかったが、前記ボトムモールドフレーム３４０の側壁面には前記ランプ３１０の両端部と締結される固定部を備える。具体的に、前記ランプ３１０を所定の間隔に離隔して配置するために、前記ボトムモールドフレーム３４０の側壁面には前記所定の間隔に離隔された固定部が形成されている。前記固定部には前記ランプ３１０が挿入され固定される。この時、前記第１傾斜面３２２上に配置される最外郭のランプの高さがその他のランプの高さより高い位置に配置されるため、前記ボトムモールドフレーム３４０の側壁面に形成された固定部のうち、最外郭に形成されている固定部の位置もそれに応じた位置とされることが望ましい。
【００３２】
この時、前記第１光の一部は前記拡散板３３０に入射され、その他の一部は前記ランプ反射板３２０により前記拡散板３３０側に反射される。前記第１光は前記拡散板３３０により拡散され、広い範囲の角度を有する第２光として射出される。
【００３３】
図４に示すように、前記ランプ反射板３２０の両端部には各々二つ以上の傾斜面３２２、３２３が形成されている。具体的には、前記ランプ反射板３２０は前記拡散板３３０と平行なフラット面３２１に対して、前記フラット面３２１の両端部から各々第１角α１で傾いて形成された第１傾斜面３２２と、前記フラット面３２１に対して第２角α２で傾いて前記第１傾斜面３２２から延びる第２傾斜面３２３とを備える。
【００３４】
前記ランプ３１０は前記フラット面３２１及び前記第１傾斜面３２２の上方に各々配置される。ここで、前記ランプ３１０のうち、前記フラット面３２１の上方に配置されるランプを第１ランプ３１１と称し、前記第１傾斜面３２２の上方に配置されるランプを第２ランプ３１２と称する。前記第１ランプ３１１と前記拡散板３３０との間の距離ｄ１は、前記第２ランプ３１２と前記拡散板３３０との間の距離ｄ２より長い。つまり、前記第２ランプ３１２は前記第１ランプ３１１より前記拡散板３３０に近接するように配置される。このように、第１ランプ３１１より第２ランプ３２１と前記拡散板３３０との離隔距離を短くすることにより、前記拡散板３３０の両端部に提供される前記第１光の量を増加させることができる。
【００３５】
ここで、前記第１角α１は前記第２角α２と異なることが望ましい。具体的には、前記第２角α２は前記第１角α１より小さいことが望ましい。前記第２角α２を前記第１角α１より小さくすることにより、前記第１傾斜面３２２上に配置された前記第２ランプ３１２からの光を効率的に前記拡散板３３０に提供することができる。ここで、前記第１角α１は０°より大きく、１８０°より小さいことが望ましい。また、前記第２角α２は０°より大きく、前記第１角α１より小さいことが望ましい。
【００３６】
上述したように、前記直下型液晶表示装置１０００は、前記最外郭に配置された前記第２ランプ３１２と前記拡散板３３０との距離ｄ２をその他の第２ランプ３１１と拡散板３３０との距離ｄ１より短くすることにより、拡散板３３０の両端部での輝度を増加させることができる。従って、図３に示した輝度分布曲線６００のように、前記直下型液晶表示装置１０００の画面の輝度が全体的に均一になる。
【００３７】
ここで、前記各ランプ３１０と前記ランプ反射板３２０との距離は同一であり、前記各ランプ３１０の明るさは同一であることが望ましい。
【００３８】
図２及び図３に示すように、前記収納部材に前記ランプ３１０と、拡散板３３０とが順次収納されると、その上にアッパーモールドフレーム４００が提供される。前記アッパーモールドフレーム４００は前記拡散板３３０を前記ボトムモールドフレーム３４０に固定する。
【００３９】
即ち、前記アッパーモールドフレーム４００は内側壁から突出した定着面４１０が形成された四角形状を有する。この時、前記アッパーモールドフレーム４００は前記拡散板３３０と接して前記拡散板３３０を前記ボトムモールドフレーム３４０側に加圧する。また、前記アッパーモールドフレーム４００の定着面４１０上には前記液晶表示パネル２１０が定着される。
【００４０】
前記液晶表示パネル２１０の上部には上／下面が開口されたくさび形状を有するトップシャーシ５００が提供される。前記トップシャーシ５００は前記ボトムシャーシ３５０と結合して前記液晶表示パネル２１０を前記ボトムシャーシ３５０に固定する。
【００４１】
ここで、前記トップシャーシと前記ボトムシャーシは、フック又はスクリューにより結合することができる。このような構造には、従来使用されている結合構造を用いることができるので、前記トップシャーシ５００と前記ボトムシャーシ３５０の結合構造に対する具体的な説明は省略する。
【００４２】
図５は、本発明の第２実施形態による直下型液晶表示装置を示した断面図であり、図６は図５のＣ部分を拡大した拡大図である。
【００４３】
図５及び図６に示すように、本発明の第２実施形態によるバックライトアセンブリ３００は、一つ以上のランプ３１０と、拡散板３３０と、これらを収納するための収納部材を備える。ここで、前記収納部材は、ランプ反射板３２０と、ボトムモールドフレーム３４０と、ボトムシャーシ３５０とからなる。
【００４４】
図５は、８個のランプを有する８等式の直下型液晶表示装置を示したが、本発明はこれに限定せずに、前記ランプの個数を多様に変更して適用することができる。
【００４５】
前記ランプ反射板３２０は、フラット面３２１と、前記フラット面３２１に対して第１角α１で傾いた第１傾斜面３２２と、前記フラット面３２１に対して第２角α２で傾いて、前記第１傾斜面３２２から延びる第２傾斜面３２３とを含む。この時、フラット面３２１は前記ランプ３１０とランプ３１０との間で所定の高さに突出する突出部３２１ｃを備える。具体的に、前記突出部３２１ｃは、前記フラット面３２１に対して第３角α３で傾いた第３傾斜面３２１ａと、前記フラット面３２１に対して第４角α４で傾いた第４傾斜面３２１ｂとからなる。この時、第３及び第４傾斜面３２１ａ、３２１ｂは、互いに接して一つのピッチを形成する。
【００４６】
前記突出部３２１ｃは、前記第３及び第４傾斜面３２１ａ、３２１ｂにより前記ランプ３１０からの光を反射して、前記ランプ３１０とランプ３１０との間の領域の輝度を補償する。さらに、前記ランプ反射板３２０に前記突出部３２１ｃが形成されることにより、前記突出部３２１ｃと前記ボトムシャーシ３５０との間に収納空間が用意される。前記収納空間には、前記ランプ３１０の一端部から反対側の他端部まで延びるリターンワイヤ（図示せず）が収納される。従って、前記直下型液晶表示装置１０００の組立品質を向上させることができる。
【００４７】
図７は本発明の第３実施形態による直下型液晶表示装置を示した断面図であり、図８は図７のＤ部分を拡大した拡大図である。
【００４８】
図７及び図８に示すように、本発明の第３実施形態による直下型液晶表示装置１１００は、映像を表示するための液晶表示パネルアセンブリ２００と、前記液晶表示パネルアセンブリ２００に光を提供するためのバックライトアセンブリ３００とを含む。
【００４９】
前記バックライトアセンブリ３００は、第１光を発生する一つ以上のランプ３１０と、前記第１光を拡散させ均一な輝度分布を有する第２光を射出するための拡散板３３０と、収納部材とからなる。前記ランプ３１０と拡散板３３０は、前記収納部材に収納される。ここで、収納部材は、ランプ反射板３６０と、ボトムモールドフレーム３４０と、ボトムシャーシ３５０とからなる。
【００５０】
図７には８個のランプを有する８等式の直下型液晶表示装置を示したが、本発明はこれに限定されずに、前記ランプの個数は多様に変更して適用することができる。
【００５１】
前記ランプ反射板３６０は、前記拡散板３３０と平行な第１フラット面３６１と、前記第１フラット面３６１の両端部に対して各々第１角α１で傾いて形成された第１傾斜面３６２と、前記第１傾斜面３６２の端部から前記第１フラット面３６１と平行な方向に延びる第２フラット面３６３と、前記第２フラット面３６３の端部に対して第２角α２で傾いて形成された第２傾斜面３６４とを備える。ここで、前記第１角α１と第２角α２は互いに同一であることが望ましい。また、前記第１角α１は０°より大きく、１８０°より小さく、前記第２角α２も０°より大きく、１８０°より小さいことが望ましい。
【００５２】
前記ランプ３１０は、前記第１フラット面３６１及び前記第２フラット面３６３上に各々配置される。ここで、前記ランプ３１０のうち、第１フラット面３６１上に配置されるランプを第１ランプ３１１と称し、前記第２フラット面３６３上に配置されるランプを第２ランプ３１２と称する。
【００５３】
ここで、第１ランプ３１１と前記拡散板３３０との間の距離ｄ１は前記第２ランプ３１２と前記拡散板３３０との間の距離ｄ３より長い。すなわち、前記第２ランプ３１２は前記第１ランプより前記拡散板３３０に近接するように配置される。前記第２ランプ３１２と拡散板３３０との間の離隔距離ｄ３を短くすることにより、前記第２ランプ３１２から液晶表示パネルへ向かう光の照射距離が前記第１ランプ３１１から液晶表示パネルへ向かう光の照射距離より短くなる。従って、前記液晶表示パネル２１０の両端部から提供される光量が増加する。これにより、前記液晶表示パネル２１０の両端部側での輝度を増加させることができるので、前記直下型液晶表示装置１１００の画面の全体的な輝度均一性を確保することができる。
【００５４】
図７に示したように、前記ボトムモールドフレーム３４０の側壁面は前記ランプ反射板の形状に応じて変更される。また、図面に具体的に図示しなかったが、前記ボトムモールドフレーム３４０の側壁面には、前記ランプ３１０の両端部と締結される固定部（図示せず）が備えられている。この時、前記第１フラット面３６１上に配置される前記第１ランプ３１１の前記ボトムシャーシ３５０の基底面からの距離より前記第２ランプ３１２のボトムシャーシ３５０の基底面からの距離が長いので、前記ボトムモールドフレーム３４０の側壁面に形成された固定部のうち、最外郭に形成されている固定部の位置もそれに応じて変動できることが望ましい。
【００５５】
図９は本発明の第４実施形態による直下型液晶表示装置を示した断面図であり、図１０は図９に示した直下型液晶表示装置に本発明の他の実施形態によるボトムシャーシを利用した構造を示した断面図である。
【００５６】
図９に示すように、本発明の第４実施形態による直下型液晶表示装置１２００は、映像を表示するための液晶表示パネルアセンブリ２００と、液晶表示パネルアセンブリ２００に光を提供するためのバックライトアセンブリ３００とを含む。
【００５７】
前記バックライトアセンブリ３００は、第１光を発生する一つ以上のランプ３１０と、前記第１光を拡散させ均一な輝度分布を有する第２光を射出するための拡散板３３０と、収納部材とからなる。前記ランプ３１０及び拡散板３３０は、前記収納部材に収納される。ここで、収納部材は、ランプ反射板３７０と、ボトムモールドフレーム３４０と、ボトムシャーシ３５０とからなる。
【００５８】
図９には８個のランプを有する８等式の直下型液晶表示装置を示したが、本発明はこれに限定されずに、前記ランプの個数は多様に変更して適用することができる。
【００５９】
ここで、前記ランプ３１０と前記拡散板３３０との距離は、前記拡散板３３０の中央部に行くほど短くなる。即ち、前記ランプ反射板３７０は、前記拡散板３３０の中央部に向かって拡散板３３０に近付くように傾いている一つ以上の傾斜面を備えており、前記中央部から射出される前記第２光の輝度を増加させるように構成されている。
【００６０】
具体的には、前記ランプ反射板３７０は、前記拡散板３３０に対して第１角α１で傾いた第１傾斜面３７１と、前記拡散板３３０に対して第２角α２で傾いて、前記中央部で前記第１傾斜面３７１と接触する第２傾斜面３７２と、前記第２傾斜面３７２の一端部から第４角α４で傾いて延びる第３傾斜面３７３と、前記第１傾斜面３７１の一端部から第３角α３で傾いて延びる第４傾斜面３７４とを備える。ここで、前記第１傾斜面３７１と前記第２傾斜面３７２とが接触するピッチ３７５は、前記拡散板３３０の中央部に位置する。
【００６１】
図９に示したように、前記第１傾斜面３７１は、前記拡散板３３０と平行な仮想線に対して第１角α１で傾いて、前記第２傾斜面３７２は前記仮想線に対して第２角α２で傾く。
【００６２】
ここで、前記第１角は０°より大きく、９０°より小さいことが望ましく、前記第２角は０°より大きく、９０°より小さいことが望ましい。さらに、望ましくは第１角α１と第２角α２の絶対値は同一であり、第３角α３と第４角α４の絶対値は同一であることが望ましい。
【００６３】
しかし、前記ランプ反射板３７０は前記第１角α１と第２角α２を相異なる値に設定して形成することができる。その場合、前記第１傾斜面３７１と第２傾斜面３７２が接するピッチ３７５は、前記拡散板３３０の中央部からいずれか一側に偏った位置に形成される。
【００６４】
一方、前記ランプ３１０は前記第１傾斜面３７１及び前記第２傾斜面３７２上に各々配置される。ここで、各ランプ３１０と前記ランプ反射板３７０との間の距離は同一であり、前記各ランプ３１０の明るさは同一であることが望ましい。
【００６５】
前記ランプ３１０のうち、前記中央部付近に配置されたランプを第１ランプ３１１と称し、前記両端部に配置されるランプを第２ランプ３１２と称すると、前記第１ランプ３１１と前記拡散板３３０との間の距離ｄ４は、前記第２ランプ３１２と拡散板３３０との間の距離ｄ５より短い。このように構成することにより、前記第１ランプ３１１は、前記第２ランプ３１２より前記拡散板３３０に近接するように、すなわち、前記ランプと前記拡散部材との間の距離が、前記拡散部材の中央部に行くほど狭くなるように配置される。従って、前記第１ランプ３１１から液晶表示パネル２１０へ向かう光の照射距離が前記第２ランプ３１２から液晶表示パネル２１０へ向かう光の照射距離より短くなる。これにより、前記液晶表示パネル２１０の中央部に提供される光量が増加される。
【００６６】
本発明の第４実施形態で提示された前記直下型液晶表示装置１２００は、前記液晶表示パネル２１０の中央部での輝度を増加させることができる。
【００６７】
図面に示さなかったが、前記ランプ３１０の両端部と向き合う前記ボトムモールドフレーム３４０の側壁面には、前記ランプ３１０の両端部と締結される固定部が用意されている。この時、前記ランプ３１０は、前記拡散板３３０の中央部に向かって傾いた前記ランプ反射板３７０上に配置される。従って、前記ランプ３１０と前記拡散板３３０との距離も前記中央部に行くほど狭くなる。ここで、前記ボトムモールドフレーム３４０の固定部は前記ランプ３１０の位置に応じて形成されなければならないため、前記固定部の位置も前記中央部に行くほど前記拡散板３３０に近い位置に形成されることが望ましい。
【００６８】
一方、図１０に示したように、ボトムシャーシ３５５は、前記ランプ反射板３７０と同一の表面構造を有することができる。具体的に、前記ボトムシャーシ３５５は、前記ランプ反射板３７０が定着される定着面と前記定着面を取囲んでいる側壁とからなる。ここで、定着面は、前記ランプ反射板３７０の第１傾斜面３７１と平行な第３傾斜面３５５ａと、前記第２傾斜面３７２と平行な第４傾斜面３５５ｂを備える。従って、前記第１傾斜面３７１は前記第３傾斜面３５５ａと対面し、前記第２傾斜面３７２は前記第４傾斜面３５５ｂと対面する。
【００６９】
このような、ボトムシャーシ３５５を使用すると、前記ボトムシャーシ３５５の背面には山形状を有する空間３５５ｃが用意される。図面には図示しなかったが、前記空間３５５ｃは、前記直下型液晶表示装置１２００を構成する部品を実装することができる収納空間として使用することができる。具体的には、前記直下型液晶表示装置１２００を駆動するために必要である各種回路基板などを前記収納空間３５５ｃに実装することができる。従って、前記ランプ反射板３７０と同一の形状を有するボトムシャーシ３５５を使用することにより、前記直下型液晶表示装置１２００の全体的なサイズを減らすことができる。
【００７０】
図１１は、本発明の第５実施形態による直下型液晶表示装置を示した断面図である。
【００７１】
図１１に示すように、本発明の第５実施形態による直下型液晶表示装置１３００は、映像を表示するための液晶表示パネルアセンブリ２００と、前記液晶表示パネルアセンブリ２００に光を提供するためのバックライトアセンブリ３００とを含む。
【００７２】
前記バックライトアセンブリ３００は、第１光を発生する一つ以上のランプ３１０と、前記第１光を拡散させて均一な輝度分布を有する第２光を射出させるための拡散板３３０と、収納部材とからなる。前記ランプ３１０と拡散板３３０は前記収納部材に収納される。ここで、前記収納部材は、ランプ反射板３８０と、ボトムモールドフレーム３４０と、ボトムシャーシ３９０とからなる。
【００７３】
図１１には、８個のランプを有する８等式の直下型液晶表示装置を示したが、本発明はこれに限定されずに、前記ランプの個数は多様に変更して適用することができる。
【００７４】
前記ランプ反射板３８０は、前記第１光を前記拡散板３３０側に反射し、前記拡散板３３０の一端部から前記一端部の反対側の他端部に向かって拡散板３３０から離れるように傾いた一つ以上の傾斜面を備える。このような構成は、前記第２光の輝度を前記一端部から前記他端部まで段々増加させる。
【００７５】
具体的には、前記ランプ反射板３８０は、前記拡散板３３０と、拡散板３３０に対して第１角α１で傾いた第１傾斜面３８１と、前記第１傾斜面３８１の第１端部から延び第１傾斜面３８１に対して第２角α２で傾いた第２傾斜面３８２と、前記第１端部と対向する前記第１傾斜面３８１の第２端部から延び第１傾斜面３８１に対して第３角α３で傾いた第３傾斜面とを備える。前記拡散板３３０は、前記第１傾斜面３８１と平行である仮想線に対して前記第１角α１で傾いている。
【００７６】
前記第１角α１は０°より大きく、９０°より小さい範囲に存在する。また、前記第２角α２は０°より大きく、１８０°より小さい範囲内にあり、前記第３角α３は０°より大きく、１８０°より小さい範囲内にある。
【００７７】
前記ランプ３１０は前記第１傾斜面３８１上に配置される。ここで、前記各ランプ３１０と前記ランプ反射板３８０との間の距離は同一であり、前記各ランプ３１０の明るさは同一であることが望ましい。
【００７８】
ここで、前記拡散板３３０の一端部から他端部に行くほど（図１１において右側端部から左側端部へ行くほど）前記ランプ３１０と拡散板３３０との間の離隔距離が短くなることにより、前記液晶表示パネル２１０の一端部から他端部に行くほど（図１１において右側端部から左側端部へ行くほど）、前記ランプ３１０から入射される光量が段々増加する。従って、第５実施形態として提示された液晶表示装置１３００は、前記液晶表示パネル２１０の上記一端部から他端部まで段々輝度を増加させることができる。
【００７９】
図面に図示しなかったが、前記ランプ３１０の両端部と向き合う前記ボトムモールドフレーム３４０の側壁面には、前記ランプ３１０の両端部と締結される固定部が用意される。この時、ランプ３１０は、前記拡散板３３０の一端部から他端部に向かって拡散板３３０との間の距離が短くなるように傾いた前記ランプ反射板３８０の上方に配置される。従って、前記ランプ３１０と前記拡散板３３０との間の距離も前記一端部から他端部に行くほど狭くなる。ここで、前記ボトムモールドフレーム３４０の固定部は、前記ランプ３１０の位置に応じて形成されなければならない。したがって、前記固定部が前記一端部から他端部に行くほど前記拡散板３３０に近い位置に形成されることが望ましい。
【００８０】
前記ボトムシャーシ３９０は、前記ランプ反射板３８０と同様の表面構造を有する。具体的に、前記ボトムシャーシ３９０は、前記ランプ反射板３８０が定着される定着面と、前記定着面を取囲んでいる側壁とからなる。前記定着面は、前記ランプ反射板３８０の第１傾斜面３８１と平行であり、前記第１傾斜面３８１と対面する第３傾斜面３９１を備える。
【００８１】
従って、前記ボトムシャーシ３９０の背面には山形状を有する空間３９５が用意される。前記空間３９５は前記直下型液晶表示装置１３００を構成する部品を実装することができる収納空間に使用されることができる。これにより、前記直下型液晶表示装置１３００の全体的なサイズが減少される。
【００８２】
一方、図１１で前記ランプ反射板３８０の前記第１傾斜面３８１が前記一端部から前記他端部に向かって拡散板３３０との間の距離が短くなるように第１反射面を傾斜させることを示したが、前記第１傾斜面３８１が前記他端部から前記一端部に向かって拡散板３３０との間の距離が短くなるように第１反射面を傾斜させることもできる。
【００８３】
以上、本発明の実施例によって詳細に説明したが、本発明はこれに限定されず、本発明が属する技術分野において通常の知識を有するものであれば本発明の思想と精神を離れることなく、本発明を修正または変更できるであろう。
【００８４】
【発明の効果】
本発明のバックライトアセンブリ及びこれを有する液晶表示装置によると、ランプから発生した光を拡散板に反射するランプ反射板は、前記各ランプと拡散板との間の距離が相異するように、前記ランプを収納する。この時、拡散板の両端部で前記最外郭に配置されたランプと前記拡散板との間の距離を他のランプと拡散板との間の距離より短くなるように形成することにより、拡散板の両端部での輝度を補償する。
【００８５】
これにより、前記液晶表示装置により実現される画面の全体的な輝度均一性を確保することができ、さらに、液晶表示装置の表示品質を向上させることができる。
【００８６】
また、ランプ反射板の形状を変更して拡散板とランプとの間の距離を適切に変化させながら、液晶表示装置の中央部又は特性部位の輝度を自由に向上又は低下させることができる。従って、前記液晶表示装置の輝度を部分的に調整することができる。
【図面の簡単な説明】
【図１】一般的な直下型液晶表示装置を示した断面図である。
【図２】本発明の第１実施形態による直下型液晶表示装置を具体的に示した分解斜視図である。
【図３】図２に示した直下型液晶表示装置を切断線Ａ−Ａ′に切断した断面図である。
【図４】図３のＢ部分を拡大した拡大図である。
【図５】本発明の第２実施形態による直下型液晶表示装置を示した断面図である。
【図６】図５のＣ部分を拡大した拡大図である。
【図７】本発明の第３実施形態による直下型液晶表示装置を示した断面図である。
【図８】図７のＤ部分を拡大した拡大図である。
【図９】本発明の第４実施形態による直下型液晶表示装置を示した断面図である。
【図１０】図９に示した直下型液晶表示装置に本発明の他の実施形態によるボトムシャーシを使用した構造を示した断面図である。
【図１１】本発明の第５実施形態による直下型液晶表示装置を示した断面図である。
【符号の説明】
２００　　液晶表示パネルアセンブリ
２１０　　液晶表示パネル
３００　　直下型バックライトアセンブリ
３１０　　ランプ
３２０、３６０、３７０、３８０　　ランプ反射板
３３０　　拡散板
３４０　　ボトムモールドフレーム
３５０　　ボトムシャーシ
５００　　トップシャーシ
１０００、１１００、１２００、１３００　　直下型液晶表示装置
【図１】
2004029738.tif 000003
【図２】
2004029738.tif 000004
【図３】
2004029738.tif 000005
【図４】
2004029738.tif 000006
【図５】
2004029738.tif 000007
【図６】
2004029738.tif 000008
【図７】
2004029738.tif 000009
【図８】
2004029738.tif 000010
【図９】
2004029738.tif 000011
【図１０】
2004029738.tif 000012
【図１１】
2004029738.tif 000013